(57)【要約】【課題】蓋４０の開閉に伴って箱本体１０内の収納商品Ａが起伏する。【解決手段】上面開口の箱本体１０と、その箱本体の後側部に前記開口を開閉可能に設けた蓋４０と、箱本体内に設けた不動の支持体２０と、箱本体内に支持体の下方に並行に前後方向に移動可能に設けた作動体３０と、その作動体と蓋とを連結して蓋の開閉に伴って前後方向に移動する連結帯３３とからなる組箱Ｐ１である。支持体に商品Ａが貫通して支持する透孔２８を形成し、作動体に商品Ａに係止して商品を動かす透孔３８を形成し、蓋の開閉による連結帯の前後方向の移動に伴って作動体が前後方向に動き、その動きに伴って透孔３８が支持体に対し前後方向に動いて商品Ａが透孔２８を支点として起伏する。蓋を開放すると、商品が起立して、蓋を開けた者に迫ってくるため、その驚きとともに、その収納商品の高級感を醸し出す。【選択図】図５
2020125136.tif 000002
【特許請求の範囲】
【請求項１】
上面開口の箱本体（１０、６０）と、その箱本体の後側部に前記開口を開閉可能に設けた蓋（４０、９０）と、前記箱本体内に設けた不動の支持体（２０、７０）と、前記箱本体内に前記支持体に並行に移動可能に設けた作動体（３０、８０）と、その作動体と前記蓋とを連結して前記蓋（４０、９０）の開閉に伴って前後方向に移動する連結帯（３３、８８）とからなり、
上記支持体又は作動体に商品（Ａ）が貫通して支持する支持孔（２８、７８）を形成し、前記作動体又は支持体に商品（Ａ）に係止して商品（Ａ）を動かす突起を設け、
上記蓋（４０、９０）の開閉による上記連結帯（３３、８３）の前後方向の移動に伴って作動体（３０、８０）が動き、その動きに伴って上記突起が支持体（２０、７０）に対し動いて商品（Ａ）が上記支持孔（２８、７８）を支点として起伏する組箱。
【請求項２】
上記作動体（３０）は上記箱本体（１０）の前後方向に移動可能となっており、上記支持体（２０）の支持孔（２８）は前記前後方向に複数形成され、前記作動体（３０）の突起も同様に前記前後方向に前記支持体（２０）の支持孔（２８）に対応して複数形成されている請求項１に記載の組箱。
【請求項３】
上記作動体（８０）は、その中心（８９）で回転可能となっており、上記突起は前記中心回りに複数形成され、上記支持体（７０）の支持孔（７８）も前記中心回りに前記作動体（８０）の突起に対応して複数形成され、上記連結帯（８８）は作動板（８４）を有し、その作動板（８４）と作動体（８０）の一方に、突片（８５）、他方にその突片（８５）が嵌る作動孔（８６）をそれぞれ形成し、前記作動板（８４）の前後方向の動きに伴なう前記突片（８５）の作動孔（８６）内の動きによって作動体（８０）が回転する請求項１に記載の組箱。
【請求項４】
上記突起が透孔（３８、８１ａ、８１ａ、８３ａ）からなる請求項１乃至３の何れか一つに記載の組箱。
【発明の詳細な説明】
【技術分野】
【０００１】
この発明は、蓋を開けると、その開放に伴って箱内の商品が起立する組箱に関するものである。
【背景技術】
【０００２】
出願人は、蓋を開けることに伴って商品がせり上がる（持ち上がる）種々の組箱を提案した（特許文献１、同２参照）。
【先行技術文献】
【特許文献】
【０００３】
【特許文献１】特許第６２１１７３０号公報
【特許文献２】特許第６４２３２３９号公報
【発明の概要】
【発明が解決しようとする課題】
【０００４】
上記提案した組箱は、好評を得ているが、さらなる斬新な組箱を要求された。
この発明は、その要求に応えるべく、蓋の開閉に伴って商品が起伏する組箱を提供することを課題とする。
【課題を解決するための手段】
【０００５】
上記課題を達成するため、この発明は、商品を不動に支持する支持体と、蓋の開閉に伴って動く作動体とを並行に設け、支持体で支持された商品を作動体に係止し、蓋の開閉に伴って作動体を移動させて支持体に支持された商品をその支持点でもって起伏するようにしたのである。
【０００６】
具体的には、上面開口の箱本体と、その箱本体の後側部に前記開口（開口部）を開閉可能に設けた蓋と、前記箱本体内に設けた不動の支持体と、前記箱本体内に前記支持体に並行に移動可能に設けた作動体と、その作動体と前記蓋とを連結して前記蓋の開閉に伴って移動する連結帯とからなり、前記支持体に商品を支持する支持孔を形成し、上記作動体に商品に係止して商品を動かす突起を設け、蓋の開閉による連結帯の移動に伴って作動体が動き、その動きに伴って前記突起が支持体に対し動いて商品が前支持孔を支点として起伏する構成の組箱としたのである。
【０００７】
この構成において、上記作動体は箱本体の前後方向に移動可能となっており、上記支持体の支持孔は前記前後方向に複数形成され、前記作動体の突起も同様に前記前後方向に前記支持体の支持孔に対応して複数形成されている構成とすることができる。
このように構成すると、蓋の開閉に伴って、箱本体の前後方向に並んだ商品が起伏する。
【０００８】
また、上記作動体は、その中心で回転可能となっており、上記突起は前記中心回りに複数形成され、上記支持体の支持孔も前記中心回りに前記作動体の突起に対応して複数形成され、上記連結帯は作動板を有し、その作動板と作動体の一方に、突片、他方にその突片が嵌る作動孔をそれぞれ形成し、前記作動板の前後方向の動きに伴なう前記突片の作動孔内の動きによって作動体が回転する構成とすることができる。
このようにすると、蓋の開閉に伴って、箱本体内に円状に並んだ商品が起伏する。
【０００９】
上記各構成において、上記突起は透孔や突片等で形成できる。
【発明の効果】
【００１０】
この発明は、以上のように構成したので、蓋を開放することによって商品が起立して、蓋を開けた者に迫ってくるため、その驚きとともに、その収納商品の高級感を醸し出す。
【図面の簡単な説明】
【００１１】
【図１】この発明に係る組箱の一実施形態の蓋を閉じた状態の斜視図
【図２】（ａ）は図１の全体切断正面図、（ｂ）は同部分切断正面図
【図３】同実施形態の蓋を閉じた状態の一部切欠き切断平面図
【図４】同実施形態の蓋を開けた状態の斜視図
【図５】同実施形態の蓋を開けた状態の一部省略切断正面図
【図６】同実施形態の蓋を開けた状態の平面図
【図７】同実施形態の箱本体のブランクの平面図
【図８】同箱本体の組み立て説明図であり、（ａ）は組み立て途中斜視図、（ｂ）は組み立て完了斜視図
【図９】同実施形態の支持体と作動体を示し、（ａ）は支持体のブランクの平面図、（ｂ）は作動体のブランクの平面図
【図１０】同支持体と作動体の組み立て説明図であり、（ａ）は組み立て途中斜視図、（ｂ）は組み立て完了斜視図
【図１１】同実施形態の蓋のブランクの平面図であり、（ａ）は蓋本体、（ｂ）は中敷き
【図１２】同蓋の組み立て説明図であり、（ａ）は組み立て途中斜視図、（ｂ）は組み立て完了斜視図
【図１３】同実施形態の作用説明用概略図であり、（ａ）は蓋を閉じた状態、（ｂ）は蓋開放途中状態、（ｃ）は蓋開放完了状態
【図１４】この発明に係る組箱の他の実施形態の蓋を閉じた状態の斜視図
【図１５】（ａ）は図１４の全体切断正面図、（ｂ）は同部分切断正面図
【図１６】同実施形態の蓋を閉じた状態の一部切欠き切断平面図
【図１７】同実施形態の蓋を開けた状態の斜視図
【図１８】同実施形態の蓋を開けた状態の一部省略切断正面図
【図１９】同実施形態の蓋を開けた状態の部分切断平面図
【図２０】同実施形態の箱本体のブランクの平面図
【図２１】同箱本体の組み立て説明図であり、（ａ）は組み立て途中斜視図、（ｂ）は組み立て完了斜視図
【図２２】同実施形態の支持体と作動体を示し、（ａ）は支持体のブランクの平面図、（ｂ）は作動体の分解斜視図
【図２３】同実施形態の支持体と作動体を示し、（ａ）は支持体の組み立て途中の斜視図、（ｂ）は作動体の組み立て完了斜視図、（ｃ）は支持体内に作動体を装填した斜視図
【図２４】同実施形態の蓋のブランクを示し、（ａ）は蓋本体、（ｂ）は中敷き
【図２５】同蓋の組み立て説明図であり、（ａ）は蓋本体の組み立て途中状態、（ｂ）は中敷きの組み立て途中状態、（ｃ）は組み立て完了斜視図
【図２６】同実施形態の作用説明用概略図であり、（ａ）は蓋開放完了状態、（ｂ）は蓋を閉じた状態
【発明を実施するための形態】
【００１２】
この発明に係る組箱の一実施形態を図１〜図１３に示し、この組箱Ｐ１は、上面開口の四角状箱本体１０と、その箱本体１０内に設けた支持体２０及び作動体３０と、箱本体１０の開口の一側部に起伏（開閉）可能に設けた蓋４０と、その蓋４０と作動体３０とに連結された連結帯３３とからなる。
【００１３】
箱本体１０は、図７に示すボール紙製のブランクからなり、底板１１の左右前後縁に折り目線ｒを介して外側板１２、１２、外前板１３、外後板１４がそれぞれ設けられている。各外側板１２、外前板１３及び外後板１４には襠部分を持って折り目線ｒを介してそれぞれ内側板１２ａ、１２ａ、内前板１３ａ、内後板１４ａがそれぞれ設けられている。各外側板１２の側縁と外前後板１３、１４の側縁間には襠片１５が設けられており、その襠片１５を対角線上の折り目線ｒ’を介して谷折りすることによって底板１１に対し外側板１２、１２及び外前後板１３、１４が立ち上がって上面開口の四角状箱を構成する。
【００１４】
内側板１２ａの両側縁には鍵状のフラップ片１６がそれぞれ折り目線ｒ’を介して設けられており、その対向するフラップ片１６、１６を噛み合わすことによって各側板１２、１２ａの立ち上がりが維持される。内側板１２ａ、内前後板１３ａ、１４ａには折り目線ｒ’を介してそれぞれ舌片１７が設けられている。その内側板１２ａと舌片１７の境界線（折り目線）ｒ’の途中二個所に切り込みによって突片１８が形成されている。両後板１４、１４ａには同一レベルとなる幅狭の四角状透孔１９、１９が形成されている。
【００１５】
図中、ｒは線状の単なる折り目線、ｒ’はミシン目状の折り目線であり、そのミシン目状の折り目線は全長に亘って等間隔にミシン目を有するものと、不等分位のミシン目のものがあり、両者は、折曲度合いを考慮して適宜に選択する（以下同様）。
【００１６】
この構成のブランクからなる箱本体１０は、図８に示すように、底板１１に対し、内外側板１２、１２ａを山折りして立ち上げ・下方に折り曲げると共に、フラップ片１６、１６を噛み合わせ、襠片１５を折り曲げつつ外前後板１３、１４、内前後板１３ａ、１４ａを山折りして立ち上げ・下方に折り曲げ、それらの舌片１７を底板１１に沿わせる。このとき、突片１８がその切欠きから突出して外側板１２に当接して内外側板１２、１２ａが確実に離れた二重壁を形成する。底板１１、舌片１７の間、内外側板１２、１２ａ間、内外前後板１３、１３ａ、１４、１４ａ間は適宜に貼着する。貼着は、両面テープ張りや糊付け等によって行う（以下同様）。
【００１７】
支持体２０及び作動体３０は、ボール紙製の図９に示すブランクからなる。支持体２０は同図（ａ）に示すように、基板２１の側縁に折り目線ｒ’、ｒを介して内外側板２２、２３及び舌片２３ａがそれぞれ設けられている。基板２１の後縁には折り目線ｒを介して後板２５及び舌片２５ａがそれぞれ設けられ、同前縁には折り目線ｒを介して前板２４、底板２６がそれぞれ設けられている。その外側板２３と舌片２３ａの境界線（折り目線）ｒの途中二個所に切り込みによって突片２７が形成されている。底板２６の側縁には折り目線ｒを介してフラップ片２６ａが設けられ、後縁には折り目線ｒを介して前片２６ｂが設けられている。
【００１８】
基板２１には、商品Ａを嵌める（支持する）支持孔２８が形成されている。この支持孔２８は商品Ａの横断面と同一形状とされ、その数や配列は収納する商品Ａの形や数に応じて適宜に設定する。この実施形態においては、商品Ａは、チューブ入りの化粧品や一回使用の長方形パック詰め化粧品であるから、５個２列の支持孔２８とし、その支持孔２８は一部を膨らませたほぼ半円状としている。
後板２５には、幅狭四角状透孔２９が形成されており、底板２６のフラップ片２６ｂにはその透孔２９に対応する四角状切欠き２９ａが形成されている。
【００１９】
この構成のブランクからなる支持体２０は、図１０（ａ）に示すように、基板２１に対し側板２２、２３、前板２４、舌片２４ａ、後板２５、底板２６をそれぞれ山折りして箱状とし、舌片２５ａを底板２６とフラップ片２６ａの折り目線ｒ上の切り目２４ｂに差し込んで、舌片２５ａを底板２６の下面に貼着する（図２（ａ）参照）。この箱状になった支持体２０は、透孔２９と切欠き２９ａが一致している（同一レベルとなっている）。
【００２０】
作動体３０は、図９（ｂ）に示す、ボール紙製のブランクからなり、基板３１には、上記支持孔２８に対応する同一形状の支持孔（透孔）３８が形成されている。基板３１の両側縁及び前縁には折り目線ｒ、ｒ’を介してフラップ片３２が設けられている。基板３１の後縁には連結帯となる突片３３が設けられている。なお、鎖線でかこまれた部分は貼着代である（以下同様）。
【００２１】
この構成のブランクからなる作動体３０は、図１０（ａ）に示すように、基板３１に対しフラップ片３２を山折りして四角箱状として、箱状の支持体２０内に入れ込む（図１０（ｂ）参照）。そのとき、支持体２０の基板２１と作動体３０の基板３１は一定の間隔をもって重なって支持孔２８、３８が対向するとともに、突片（連結帯）３３が透孔２９及び切欠き２９ａを通って突出する。このため、連結帯３３でもって作動体３０を前後に移動させると、両基板２１、３１の支持孔２８、３８が、図２のように前後にずれたり、図５のように上下同一軸上に位置したりする（図１３（ａ）、（ｃ）参照）。このとき、連結帯３３の先端部は折り目線ｒ’を介して舌片３３ａとなっている。
【００２２】
蓋４０は、図１１に示す、ボール紙製ブランクからなり、長方形状基板４１の左右前後縁に折り目線ｒを介してほぼ台形状外側板４２、４２、後板４３、外前板４４がそれぞれ設けられている。各外側板４２、外前板４４には折り目線ｒを介してそれぞれ内側板４２ａ、４２ａ、内前板４４ａがそれぞれ設けられている。各外側板４２の側縁と前後板４３、４４の側縁間には襠片４５が設けられており、その襠片４５を対角線上の折り目線ｒ’を介して谷折りすることによって基板４１に対し外側板４２、４２及び前後板４３、４４が立ち上がって上面開口の四角状箱を構成する。
内側板４２ａの両側縁にはフラップ片４６がそれぞれ折り目線ｒ’、ｒを介して設けられている。内側板４２ａ、内前板４４ａ、後板４３には折り目線ｒ、ｒ’を介してそれぞれ舌片４７が設けられている。その内側板４２ａと舌片４７の境界線（折り目線）ｒ’の途中二個所に切り込み４８が形成され、内前板４４ａと舌片４７の境界線（折り目線）ｒ’の途中にも切り込み４８が形成されている。
【００２３】
この構成のブランクからなる蓋４０は、図１２に示すように、基板４１に対し、内外側板４２、４２ａを山折りして立ち上げ、フラップ片４６、４６を内側に谷折りするとともに、襠片４５を折り曲げつつ後板４３、外前板４４、内前板４４ａを山折りして立ち上げ、それらの舌片４７を基板４１に沿わせる。このとき、内側板４２ａの前側フラップ片４６は内外前板４４、４４ａの間に挿入する。舌片４７は基板４１に適宜に貼着する。舌片４７の先端縁の両側には突片４７ａが設けられている。
【００２４】
この下面開口の蓋４０には、図１１（ｂ）に示す形状のボール紙製ブランクからなる中敷き５０が装填される。この中敷き５０は基板５１の後縁に折り目線ｒ’、ｒを介して連接された後板５２、フラップ片５３とからなる。基板５１の両側前後には突片５４が設けられている。フラップ片５３には幅狭四角状透孔５５が形成されている。
この中敷き５０は、図１２（ａ）に示すように、折り目線ｒ’を介して基板５１に対し後板５２を起立させるとともにフラップ片５３を山折りした状態で、下面開口の組み立てられた蓋４０内に自身の基板５１が蓋４０の基板４１に重なるように装填する。このとき、突片５４は蓋４９の切り込み４８に差し入れる。また、フラップ片５３は蓋４９の後板４３と襠片４５の間に挿し入れる。これによって、下面開口の蓋４０ができあがる。
【００２５】
この実施形態の組箱Ｐ１は以上の構成であり、図８（ｂ）に示す組み立てた箱本体１０内に、同様に、図１０（ｂ）に示す作動体３０入りの支持体２０を装填する。そのとき、作動体３０の連結帯３３は箱本体１０の後壁（後板１４等）の透孔１９に挿し通す。この挿し通された連結帯３３は、図２（ａ）、図５に示すように、蓋４０の後壁（中敷き５０の後板５２等）の透孔５５を通して中敷き５０の後板５２及びフラップ片５３の間に差し入れて貼着する。連結帯３３の舌片３３ａを貼着しても、折り目線ｒ’を介して連結帯３３が折れ曲がるため、連結帯３３の下記移動に支障はない。
その後、蓋４０の舌片４７を箱本体１０の底板１１の下面に宛がうとともに突片４７ａをその底板１1の透孔１１ａに差し込んでその舌片４７及び突片４７ａを底板１１に適宜に貼着して、箱本体１０に対しその一側で蓋４０を起伏自在に取り付ける（図２（ｂ）参照）。
【００２６】
このように組み立てたこの組箱Ｐ１への商品Ａの収納は、図１〜図６に示すように、支持体２０と作動体３０の支持孔２８、３８に商品Ａを差し込んで行う。その商品Ａを収納し、図１〜図３に示す、蓋４０が閉じられた状態においては、蓋４０の閉じ作用に伴って、連結帯３３が作動体３０を支持体２０に対して前（図２右方向）に移動させ、支持体２０の支持孔２８と作動体３０の支持孔３８が前後にずれる。このため、両支持孔２８、３８に支持された商品Ａはそのずれに伴って傾斜する（図１３（ａ））。
【００２７】
この状態から、蓋４０を起こすと（箱を開放すると）、図１３（ｂ）から同（ｃ）に示すように、その蓋４０の開放に伴って連結帯３３がその蓋４０側（前方である図２左方向）に引かれて作動体３０も同様に移動する。この作動体３０の後方への移動に伴って、支持体２０の支持孔２８と作動体３０の支持孔３８が徐々に重なる位置に移動し、それに伴って商品Ａが起立する。蓋４０が開き終われば、両支持孔２８、３８が上下方向の同一線上となって商品Ａは真っ直ぐ起立した状態となる（図５、図１３（ｃ））。
【００２８】
このように、この実施形態の組箱Ｐ１は、蓋４０を開けると、商品Ａが起立するため、看者には斬新であり、高級感を与える。
商品Ａが立ち上がった状態から、蓋４０を閉じれば、図１３（ｃ）→同（ｂ）を経て同（ａ）に示す、商品Ａが倒伏した収納状態となる。
なお、この実施形態（組箱Ｐ１）では、請求項でいう「突起」を作動体３０の支持孔３８の周壁で構成している。
【００２９】
この発明に係る組箱の他の実施形態を図１４〜図２６に示し、この組箱Ｐ２も、同様に、上面開口の四角状箱本体６０と、その箱本体６０内に設けた支持体７０及び作動体８０と、箱本体６０の開口の一側部に起伏（開閉）可能に設けた蓋９０と、その蓋９０と作動体８０とに連結された連結帯８８とからなる。上記実施形態（組箱Ｐ１）と異なる点は、前者が蓋４０の開放に伴って作動体３０が前後して商品Ａが起伏するのに対し、この実施形態の組箱Ｐ２は蓋９０の開放に伴って作動体８０が回転して商品Ａが起伏する点である。
【００３０】
この組箱Ｐ２の箱本体６０は、図２０に示すボール紙製のブランクからなり、正方形状の底板６１の左右前後縁に折り目線ｒを介して外側板６２、６２、外前板６３、外後板６４がそれぞれ設けられている。各外側板６２、外前板６３及び外後板６４には折り目線ｒを介してそれぞれ斜めとなる内側板６２ａ、６２ａ、垂直となる内側板６２ｂ、６２ｂ、斜めとなる内前板６３ａ、同内後板６４ａ、垂直となる内前板６３ｂ、同内後板６４ｂがそれぞれ設けられている。各外側板６２の側縁と前後板６３、６４の側縁間には襠片６５が設けられており、その襠片６５を対角線上の折り目線ｒ’を介して谷折りすることによって底板６１に対し外側板６２、６２及び前後板６３、６４が立ち上がって上面開口の正四角状箱を構成する。
【００３１】
斜めとなる内側板６２ａの両側縁にはフラップ片６６ａがそれぞれ折り目線ｒ’を介して設けられている。垂直となる内側板６２ｂの両側縁は鍵状のフラップ片６６を有しており、その対向するフラップ片６６、６６を噛み合わすことによって各側板６２、６２ａ、６２ｂの立ち上がりが維持される。垂直となる内側板６２ｂ、同内前後板６３ｂ、６４ｂには折り目線ｒ’を介してそれぞれ舌片６７が設けられている。その内側板６２ｂと舌片６７の境界線（折り目線）ｒ’の途中二個所に切り込みによって突片６８が形成されている。後板６４には左右方向（図２０において上下方向）に長い幅狭四角状透孔６９が形成されている。垂直となる内後板６４ｂと舌片６７の折り目線ｒ’上にコ字状の切欠きが形成されており、内後板６４ｂに対して舌片６７が折り曲げられると、その切欠きによって透孔６９ａ（図２１（ａ）参照）が形成される。
【００３２】
この構成のブランクからなる箱本体６０は、図２１に示すように、底板６１に対し、内外側板６２、６２ａを山折りして立ち上げ・下方に折り曲げると共に、フラップ片６６、６６を噛み合わせ、襠片６５を折り曲げつつ外前後板６３、６４、内前後板６３ａ、６４ａを山折りして立ち上げ・下方に折り曲げ、それらの垂直となる内側板６２ｂ、内前後板６３ｂ、６４ｂを山折りするとともに同舌片６７を谷折りして底板６１に沿わせる。
このとき、突片６８がその切欠きから突出して外側板６２に当接して内外側板６２、６２ａ、６２ｂが離れた二重壁を形成する。底板６１、舌片６７の間、内外側板６２、６２ａ、６２ｂ間、内外前後板６３、６３ａ、６３ｂ、６４、６４ａ、６４ｂ間は適宜に貼着する。
【００３３】
支持体７０は、ボール紙製の図２２（ａ）に示すブランクからなる。同図に示すように、支持体７０は正四角形の基板７１の周側縁に折り目線ｒを介して側板７２がそれぞれ設けられ、その左右と前側板７２の側縁には折り目線ｒを介し舌片７４ａがそれぞれ設けられ、同後縁には折り目線ｒを介して底板７５が設けられている。この底板７５の左右縁及び前縁には折り目線ｒを介して舌片７６が設けられ、その折り目線ｒ上に切り込み７７が形成されている。
基板７１には、商品Ａを嵌める（支持する）支持孔７８が形成されている。この支持孔７８は商品Ａの横断面と同一形状とされ、その数や配列は収納する商品Ａの形や数に応じて適宜に設定する。この実施形態においては、商品Ａは、チューブ入りの化粧品や一回使用の長方形パック詰め化粧品であるから、その支持孔７８は一部を膨らませたほぼ半円状とし、同一円上に等間隔で１０個設けてある。
底板７５の中央には透孔７９が形成されている。
【００３４】
この支持体７０は、図２２（ａ）に示すブランクから、図２３（ａ）に示すように、基板７１の周囲の側板７２を下方に折り曲げるとともに、底板７５の周りの舌片７６を立ち上げて前記側板７２の内側に沿わせ、同図（ｃ）に示すように、側板７２の突片７４ａを切り込み７７に挿入して扁平四角箱状とする。この四角箱状は上記作動体８０を内装した後に行う。
【００３５】
その作動体８０は、図２２（ｂ）に示すように、プラスチック板製第１円板８１と、２つのダンボール紙製第２円板８２、第３円板８３と、プラスチック板製作動板８４からなる。これらの円板８１、８２、８３、作動板８４は前記材料には限定されず、種々の材料を使用し得る。各円板８１、８２、８３には上記支持孔７８に対応する支持孔（透孔）８１ａ、８２ａ、８３ａがそれぞれ同一心円上に等間隔で１０個形成され、各支持孔８１ａ、８２ａ、８３ａを対応させて（同一軸線上として）重ねる。
第一円板８１は支持孔８１ａが切り起こしで形成されてその切り起こし片８１ｂが側縁から立ち上がっている。この切り起こし片８１ｂは商品Ａを確実に回転させるためである。第１円板８１の周縁には突片８５が突出して設けられている。
作動板８４は平板部８４ａから側片８４ｂを立ち上げ（図２３（ｂ）参照）、その一方の側片８４ｂに長孔（作動孔）８６が形成されている。平板部８４ａには前後方向の長孔８７が形成されており、後縁に連結帯となる突片８８を設けている。
【００３６】
この作動体８０は、図２３（ｂ）に示すように、作動板８４に第１、第２、第３円板８１、８２、８４を重ねるとともに、突片８５を長孔８６に嵌め、ねじ軸８９の雌ねじ部８９ａを第１、第２、第３円板８１、８２、８３の中心孔８１ｃ、８２ｃ、８３ｃ及び作動板８４の長孔８７に挿通して一体とする。このとき、各円板８１、８２、８３の支持孔８１ａ、８２ａ、８３ａは支持体７０の支持孔７８に対応させ、作動板８４はねじ軸８９（雌ねじ部８９ａ）を支点として長孔８７を介してその長さ方向に移動可能となる。
この各円板８１、８２、８３及び作動板８４が一体となった作動体８０は、上記支持体７０内に装填した後、上記ねじ軸８９の雄ねじ部８９ｂを支持体７０の底板７５の透孔７９から作動体８０に挿通した雌ねじ部８９ａにねじ込んで、支持体７０内に作動体８０を装填すると共にねじ軸８９を介して回転自在とする。
【００３７】
蓋９０は、図２４に示す、ボール紙製ブランクからなり、正方形状基板９１の左右前後縁に折り目線ｒを介して外側板９２、９２、後板９３、外前板９４がそれぞれ設けられている。各外側板９２、外前板９４には折り目線ｒを介してそれぞれ内側板９２ａ、９２ａ、内前板９４ａがそれぞれ設けられている。各外側板９２の側縁と前後板９３、９４の側縁間には襠片９５が設けられており、その襠片９５を対角線上の折り目線ｒ’を介して谷折りすることによって基板９１に対し外側板９２、９２及び前後板９３、９４が立ち上がって下面開口の四角状箱を構成する。
内側板９２ａの両側縁にはフラップ片９６がそれぞれ折り目線ｒを介して設けられている。内側板９２ａ、後板９３、内前板９４ａには折り目線ｒを介してそれぞれ舌片９７が設けられている。その内側板９２ａと舌片９７の境界線（折り目線）ｒ’の途中二個所に切り込み９８が形成され、内前板９４ａと舌片９７の境界線（折り目線）ｒ’の途中にも切り込み９８が形成されている。
【００３８】
この構成のブランクからなる蓋９０は、図２５に示すように、基板９１に対し、内外側板９２、９２ａを山折りして立ち上げ、フラップ片９６、９６を内側に谷折りするとともに、襠片９５を折り曲げつつ後板９３、外前板９４、内前板９４ａを山折りして立ち上げ・下方に折り曲げ、それらの舌片９７を谷折りして基板９１に沿わせる。このとき、内側板９２ａの前側フラップ片９６は内外前板９４、９４ａの間に適宜に挿入する。フラップ片９６、舌片９７は後板９３、基板９１等に適宜に貼着する。舌片９７の先端縁の両側には突片９７ａが設けられている。
【００３９】
この下面開口の蓋９０には、図２４（ｂ）に示すボール紙製ブランクからなる中敷き１００が装填される。この中敷き１００は基板１０１の後縁に折り目線ｒ’、ｒを介して連接された後板１０２、フラップ片１０３とからなる。基板１０１の両側前後には突片１０４が設けられている。後板１０２には幅狭長尺四角状透孔１０５が形成されている。
この中敷き１００は、図２５（ｂ）に示すように、折り目線ｒ’を介して基板１０１に対し後板１０２を起立させるとともにフラップ片１０３を山折りした状態（同図鎖線状態）で、下面開口の組み立てられた蓋９０内に自身の基板１０１が蓋９０の基板９１に重なるように装填する。このとき、突片１０４は蓋９０の切り込み９８に差し入れる。また、フラップ片１０３は蓋９０の後板９３と襠片９５の間に挿し入れる。これによって、下面開口の蓋９０ができあがる。中敷き１００は適宜に蓋本体（基板９１）等に貼着する。
【００４０】
この実施形態の組箱Ｐ２は以上の構成であり、図２１（ｂ）に示す組み立てた箱本体６０内に、同様に、図２３（ｃ）に示す作動体８０入りの支持体７０を装填する。そのとき、作動体８０の連結帯８８は箱本体６０の後壁（後板６４等）の透孔６９に挿し通す。この挿し通された連結帯８８は、図１５、図１８に示すように、蓋９０の後壁（中敷き１００の後板１０２等）の透孔１０５を通して中敷き１００の後板１０２及びフラップ片１０３の間に差し入れて適宜に貼着する。
その後、蓋９０の舌片９７を箱本体６０の底板６１の下面に宛がうとともに突片９７ａをその底板６１の透孔６１ａに差し込んでその舌片９７及び突片９７ａを底板６１に適宜に貼着して（図１５（ｂ）参照）、箱本体６０に対し蓋９０をその一側で起伏自在に取り付ける。
【００４１】
このように組み立てたこの組箱Ｐ２への商品Ａの収納は、図１４〜図１９に示すように、支持体７０と作動体８０の支持孔７８、８１ａ、８２ａ、８３ａに商品Ａを差し込んで行う。その商品Ａを収納し、図１４〜図１６に示す、蓋９０が閉じられた状態においては、蓋９０の閉じ作用に伴って、連結帯８８が作動体８０の作動板８４を支持体７０に対して前方（図１８において右方向）に移動させる。作動板８４の移動は、長孔８６、突片８５を介して第１円板８１の回転運動に変換される。第１円板８１が回転すれば、商品Ａを介して第２、第３円板８２、８３も回転し、支持体７０の支持孔７８と作動体８０の支持孔８１ａ、８２ａ、８３ａが周方向前後にずれる。このため、両支持孔７８、８１ａ、８２ａ、８３ａに支持された商品Ａはそのずれに伴って傾斜する（図２６（ｂ））。
【００４２】
この状態から、蓋９０を起こすと（箱を開放すると）、図２６（ｂ）から同（ａ）に示すように、その蓋９０の開放に伴って連結帯８８がその蓋９０側に引かれて作動板８４も同様に移動する。この作動板８４の移動に伴って、各円板８１、８２、８３が回転し、支持体７０の支持孔７８と作動体８０の支持孔８１ａ、８２ａ、８３ａが徐々に重なる位置に移動し、それに伴って商品Ａが起立する。蓋９０が開き終われば、両支持孔７８、８１ａ、８２ａ、８３ａが上下方向の同一線上となって商品Ａは真っ直ぐ起立した状態となる（図１８、図２６（ａ））。
【００４３】
このように、この実施形態の組箱Ｐ２も、蓋９０を開けると、商品Ａが起立するため、看者には斬新であり、高級感を与える。
商品Ａが立ち上がった状態から、蓋９０を閉じれば、図２６（ｂ）→同（ａ）に示す、商品Ａが倒伏した収納状態となる。
【００４４】
この実施形態において、第１円板８１、第２円板８２、第３円板８３の重なり順は任意であり、例えば、上から、第２円板８２、第３円板８３、第１円板８１とし、切り起こし片８１ｂを第２、第３円板の支持孔８２ａ、８３ａに挿通させれば、作動板８４の移動による長孔８６、突片８５を介した第１円板８１の回転運動を第２、第３円板８２、８３に確実に伝達することができる。また、第１円板８１が回転に対して強度を有すれば、第２円板８２、第３円板８３は省略し得る。
なお、この実施形態（組箱Ｐ２）では、請求項でいう「突起」を作動体８０の支持孔８１ａ、８２ａ、８３ａの周壁で構成している。
【００４５】
この発明に係る組箱Ｐ１、Ｐ２の材料は、ボール紙に限らず、プラスチック板、ダンボール紙等の種々のものを採用できる。
なお、連結帯（突片）３３、８８は、可撓性を有してその移動によって作動体３０又は作動板８４を前後に移動し得る材料であれば、ボール紙やプラスチック板に限定されない。
また、作動体３０、８０と支持体２０、７０の上下位置を逆にすることもできる。このとき、上側となる作動体３０、８０は商品Ａが挿通する透孔とする必要がある。また、下側の支持孔３８、８１ａ、８２ａ、８３ａは孔でなくても、商品Ａの下部を支持して動かし得る物、例えば、商品Ａ下部を挟む突起（突片）等とし得る。
さらに、箱本体１０、６０は、この発明が実施し得る限りにおいて、その平面形状は四角状に限らず、円形、楕円形、菱形等と任意である。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００４６】
１０、６０  箱本体
１１、６１  箱本体の底板
１２、６２  同外側板
１２ａ、６２ａ  同内側板
１３、６３  同外前板
１４、６４  同外後板
１５、６５  同襠片
１６  、６６  同フラップ片
１７、６７  同舌片
１８  ６８  同突片
１９、６９  同透孔
２０、７０  支持体
２１、７１  支持体の基板
２２、２３、７２  同側板
２４  同前板
２５  同後板
２６、７５  同底板
２７  同突片
２８、７８  同支持孔
２９  同透孔
３０、８０  作動体
３１  作動体の基板
３２  同フラップ片
３８  同支持孔
３３、８８  連結帯（突片）
４０、９０  蓋
４１、９１  蓋の基板
４２、９２  同外側板
４３、９４  同外前板
４４、９３  同後板
４５、９５  同襠片
４６、９６  同フラップ片
４７、９７  同舌片
４８、９８  同切り込み
５０、１００  同中敷き
８１、８２、８３  作動体の円板
８１ａ、８２ａ、８３ａ  円板の支持孔
８４  作動体の作動板
８５  直線運動から回転運動への突片
８６  同長孔
８７  ねじ軸貫通用孔
８９  ねじ軸
ｒ、ｒ’  折り目線
Ａ  商品
Ｐ１、Ｐ２  組箱
【図１】
2020125136.tif 000003
【図２】
2020125136.tif 000004
【図３】
2020125136.tif 000005
【図４】
2020125136.tif 000006
【図５】
2020125136.tif 000007
【図６】
2020125136.tif 000008
【図７】
2020125136.tif 000009
【図８】
2020125136.tif 000010
【図９】
2020125136.tif 000011
【図１０】
2020125136.tif 000012
【図１１】
2020125136.tif 000013
【図１２】
2020125136.tif 000014
【図１３】
2020125136.tif 000015
【図１４】
2020125136.tif 000016
【図１５】
2020125136.tif 000017
【図１６】
2020125136.tif 000018
【図１７】
2020125136.tif 000019
【図１８】
2020125136.tif 000020
【図１９】
2020125136.tif 000021
【図２０】
2020125136.tif 000022
【図２１】
2020125136.tif 000023
【図２２】
2020125136.tif 000024
【図２３】
2020125136.tif 000025
【図２４】
2020125136.tif 000026
【図２５】
2020125136.tif 000027
【図２６】
2020125136.tif 000028